(57)【要約】【課題】コストアップや作業性の低下を伴うことなく、使用しない端子部の浮き上がりや異音の発生を防止する。【解決手段】連結プレート部に各可溶体部を介して連結される複数のビス止め用端子部８、１６が連鎖状に形成されたヒューズ回路構成体と、このヒューズ回路構成体が装着されるハウジング４とを備え、このハウジング４に設けられ、ビス止め用端子部８、１６の表面側を外部に露出させた状態で各ビス止め用端子部８、１６を支持する複数の端子支持部２８を設けたヒュージブルリンクユニットであって、ハウジング４の各端子支持部２８には、各ビス止め用端子部８、１６の左右両端の表面側に突出する一対の爪部４２を設けた。【選択図】　　　図６
2004127703.tif 000002
【特許請求の範囲】
【請求項１】
連結プレート部に各可溶体部を介して連結される複数の端子部が連鎖状に形成されたヒューズ回路構成体と、このヒューズ回路構成体が装着されるハウジングとを備え、このハウジングに表面側を外部に露出させた状態で前記各端子部を支持する複数の端子支持部を設けたヒュージブルリンクユニットであって、
前記ハウジングの各端子支持部には、前記各端子部の表面側への変移を規制する爪部を設けたことを特徴とするヒュージブルリンクユニット。
【請求項２】
請求項１記載のヒュージブルリンクユニットであって、
前記各端子部の左右の両端側は、裏面側に傾斜する傾斜部とされ、この一対の傾斜部を覆うように前記爪部が一対設けられていることを特徴とするヒュージブルリンクユニット。
【請求項３】
請求項１又は請求項２記載のヒュージブルリンクユニットであって、
前記各端子部は、ナット部材とビスによって相手側の各ビス止め端子が接続されるビス止め用端子部であることを特徴とするヒュージブルリンクユニット。
【発明の詳細な説明】
【０００１】
【発明の属する技術分野】
本発明は、各可溶体を介した端子部が連鎖状に連結されるヒューズ回路構成体を有するヒュージブルリンクユニットに関する。
【０００２】
【従来の技術】
この種の従来のヒュージブルリンクユニットとしては、図９〜図１３に示すものがある。このヒュージブルリンクユニット１００は、図９および図１０に示すように、第１および第２ヒューズ回路構成体１０１、１０２とこれらヒューズ回路構成体１０１、１０２が組み込まれるハウジング１０３とを備えている。第１ヒューズ回路構成体１０１は、図１１に詳しく示すように、連結プレート部１０４と、この連結プレート部１０４に各可溶体部１０５を介して連結された複数の雌端子部１０６ａおよびビス止め用端子部１０６ｂと、連結プレート部１０４の一端側より延設されたバッテリ用端子部１０７と、連結プレート部１０４の他端側に可溶体１０５ａを介して連結された共通端子部１０８とを有し、導電性を有する平面プレート材のプレス加工により形成される。
【０００３】
第２ヒューズ回路構成体１０２は、図１２に詳しく示すように、連結プレート部１０９と、この連結プレート部１０９に各可溶体部１１０を介して連結された複数の雌端子部１１１ａおよびビス止め用端子部１１１ｂと、連結プレート部１０９の他端側より延設された共通端子部１１２とを有し、導電性を有する平面プレート材のプレス加工により形成される。
【０００４】
ハウジング１０３は、図９および図１０に示すように、略直方体形状を有し、上方に開口部１１３を有する回路体収容室１１４が内部に形成されている。回路体収容室１１４の下方には複数のコネクタハウジング部１１５と複数の端子支持部１１６が設けられている。
【０００５】
上記構成において、図９に示すように、第１ヒューズ回路構成体１０１および第２ヒューズ回路構成体１０２をそのフラット面方向を挿入方向とし、且つ、複数の端子部１０６ａ、１０６ｂ、１１１ａ、１１１ｂを挿入先端としてハウジング１０３の開口部１１３より回路体収容室１１４に挿入する。第１ヒューズ回路構成体１０１および第２ヒューズ回路構成体１０２が完全に挿入されると、第１および第２ヒューズ回路構成体１０１、１０２の各連結プレート部１０４、１０９が回路体収容室１１４に配置されると共に、各端子部１０６ａ、１０６ｂ、１１１ａ、１１１ｂがコネクタハウジング部１１５内や端子支持部１１６の所定位置にセットされる。
【０００６】
次に、第１および第２ヒューズ回路構成体１０１、１０２の互いの共通端子部１０８、１１２をボルト１１７でハウジング１０３に共締めする。これによって第１ヒューズ回路構成体１０１と第２ヒューズ回路構成体１０２が電気的に接続され、第１ヒューズ回路構成体１０１および第２ヒューズ回路構成体１０２によって所望のヒューズ回路が構成される。各コネクタハウジング部１１５内の各雌端子部１０６ａ、１１１ａには相手側コネクタ（図示せず）の各端子が接続される。バッテリ用端子１０７と端子支持部１１６の各ビス止め用端子部１０６ｂ、１１１ｂには圧入されたナット部材１１８とビス（図示せず）によって相手側のビス止め端子１１９がそれぞれ接続される。相手側コネクタ（図示せず）の各端子および各ビス止め端子１１９はケーブル１２０を介して各負荷にそれぞれ接続され、これら各負荷にバッテリからの電源がヒューズ回路を介して分配供給される。そして、負荷側の短絡事故などによって可溶体１０５、１１０に所定以上の電流が通電されると、可溶体１０５、１１０が発熱によって溶断し、過電流に基づく事故が防止される。
【０００７】
このようなヒュージブルリンクユニット１００にあっては、平板状の第１および第２ヒューズ回路構成体１０１、１０２をハウジング１０３に組み込むことによりユニットを構成するため、多くの可溶体（ヒューズ箇所）１０５、１１０を有するヒューズ回路を非常にコンパクトに作成できるものである。
【０００８】
【特許文献１】
特開２０００−１３３１１４号公報
【０００９】
【発明が解決しようとする課題】
ところで、車両に搭載されるヒュージブルリンクユニット１００にあっては、全ての端子部１０６ａ、１０６ｂ、１１１ａ、１１１ｂが常に使用されるわけではなく、車両毎、若しくは、車両のグレードにより使用されない端子部１０６ａ、１０６ｂ、１１１ａ、１１１ｂが発生する。例えばビス止め用端子部１０６ｂ、１１１ｂのいくつかが不使用になる場合もあり、この場合には次のような問題が発生する。
【００１０】
つまり、ビス止め用端子部１０６ｂ、１１１ｂは、図１３（ａ）、（ｂ）に詳しく示すように、その裏面側と側面側が各端子支持部１１６に沿って配置されているのみであり、その表面側が外部に露出された状態で各端子支持部１１６に支持されている。従って、組立工程や輸送時にビス止め用端子部１０６ｂ、１１１ｂのエッジを何らかで引っ掛けると、ビス止め用端子１０６ｂ、１１１ｂが塑性変形により端子支持部１１６より浮き上がってしまうという問題がある。また、外部から伝達される振動により容易に振動し、異音が発生するという問題がある。
【００１１】
ここで、このようなビス止め用端子部１０６ｂ、１１１ｂの浮き上がりや振動による異音の発生を防止するために、使用しないビス止め用端子部１０６ｂ、１１１ｂであってもビス止めを行うことが考えられるが、コストアップや作業性の低下になる。
【００１２】
そこで、本発明は、前記した課題を解決すべくなされたものであり、コストアップや作業性の低下を伴うことなく、使用しない端子部の浮き上がりや異音の発生を防止できるヒュージブルリンクユニットを提供することを目的とする。
【００１３】
【課題を解決するための手段】
請求項１の発明は、連結プレート部に各可溶体部を介して連結される複数の端子部が連鎖状に形成されたヒューズ回路構成体と、このヒューズ回路構成体が装着されるハウジングとを備え、このハウジングに設けられ、前記端子部の表面側を外部に露出させた状態で前記各端子部を支持する複数の端子支持部を設けたヒュージブルリンクユニットであって、前記ハウジングの各端子支持部には、前記各端子部の表面側への変移を規制する爪部を設けたことを特徴とする。
【００１４】
このヒュージブルリンクユニットでは、使用しない端子部のエッジを何らかで引っ掛けても端子部の浮き上がりが爪部によって阻止され、端子部に振動が伝達されても端子部の振動が爪部によって阻止される。
【００１５】
請求項２の発明は、請求項１記載のヒュージブルリンクユニットであって、前記各端子部の左右の両端側は、裏面側に傾斜する傾斜部とされ、この一対の傾斜部を覆うように前記爪部が一対設けられていることを特徴とする。
【００１６】
このヒュージブルリンクユニットでは、請求項１の発明の作用に加え、端子部の表面より突出することなく一対の爪部を設けることができる。
【００１７】
請求項３の発明は、請求項１又は請求項２記載のヒュージブルリンクユニットであって、前記各端子部は、ナット部材とビスによって相手側の各ビス止め端子が接続されるビス止め用端子部であることを特徴とする。
【００１８】
このヒュージブルリンクユニットでは、請求項１又は請求項２の発明と同様の作用がビス止め用端子について得られる。
【００１９】
【発明の実施の形態】
以下、本発明の一実施形態を図面に基づいて説明する。
【００２０】
図１〜図８は本発明の一実施形態を示し、図１はヒュージブルリンクユニットの斜視図、図２は図１のＡ−Ａ線断面図、図３は並設された端子支持部を示す底面図、図４は第１ヒューズ回路構成体の正面図、図５は第２ヒューズ回路構成体の正面図、図６（ａ）は端子支持部の斜視図、図６（ｂ）は端子支持部の底面図、図７は図６（ａ）のＢ−Ｂ線で切断した分解図、図６（ｂ）は図６（ａ）のＢ−Ｂ線の断面図、図８（ａ）は第１および第２ヒューズ回路構成体のビス止め用端子の底面図、図８（ｂ）はハウジングの端子支持部の底面図である。
【００２１】
ヒュージブルリンクユニット１は、図１〜図３に示すように、ブスバーである第１ヒューズ回路構成体２と、同じくブスバーである第２ヒューズ回路構成体３と、これらヒューズ回路構成体２、３が互いに所定の間隔を開けて組み込まれるハウジング４とを備えている。
【００２２】
第１ヒューズ回路構成体２は、図４に詳しく示すように、細長い長方形状の連結プレート部５と、この連結プレート部５の短手方向に各可溶体部６を介して連結された複数の雌端子部７と、連結用プレート部５の短手方向に各可溶体部６を介して連結された複数のビス止め用端子部８と、連結プレート部５の短手方向に可溶体部を介さずに直接連結された１つのバッテリ用端子部（ビス止め用端子部）９と、連結プレート部５の長手方向に可溶体部１０を介して連結された差し込み係止部１１とを有し、導電性の平面プレート材をプレス加工することにより一体に形成されている。
【００２３】
各可溶体部６は、細幅でクランク状を有し、そのクランク形状の途中に低融点金属が加締め固定されるものであり、それぞれに所定値以上の電流が通電されると溶断するようになっている。可溶体部１０は、細長でストレート状を有する。
【００２４】
複数の雌端子部７と複数のビス止め用端子部８は、隣接するもの同士が間隔を置いて連鎖状に配置されている。各ビス止め用端子部８の左右の両端側には、図６〜図８に詳しく示すように、中央のフラット部分に対して折曲されることによって一対の傾斜部８ａが設けられている。この一対の傾斜部８ａの傾斜方向は、ビス止め用端子部８がハウジング４の端子支持部２８に支持された場合にその裏面側に傾斜する方向とされている。ビス止め用端子部８の中央のフラット部分にはビス挿通孔８ｂが形成されている。差し込み係止部１１の一部は垂直方向に折曲され、この折曲部分が共通端子部１２として形成されている。
【００２５】
第２ヒューズ回路構成体３は、図５に詳しく示すように、細長い長方形状の連結プレート部１３と、この連結プレート部１３の短手方向に各可溶体部１４を介して連結された複数の雌端子部１５と、連結用プレート部１３の短手方向に各可溶体部１４を介して連結された複数のビス止め用端子部１６と、連結プレート部１３の長手方向に延設された差し込み係止部１７とを有し、導電性の平面プレート材をプレス加工することにより一体に形成されている。
【００２６】
各可溶体１４は、第１ヒューズ回路構成体２の可溶体部６と同様に、細幅でクランク状を有し、そのクランク形状の途中に低融点金属が加締め固定されるものであり、それぞれに所定値以上の電流が通電されると溶断するようになっている。
【００２７】
複数の雌端子部１５と複数のビス止め用端子部１６は、第１ヒューズ回路構成体２のものと同様に、隣接するもの同士が間隔を置いて連鎖状に配置されている。各ビス止め用端子部１６の左右の両端側には、図６〜図８に詳しく示すように、中央のフラット部分に対して折曲されることによって一対の傾斜部１６ａが設けられている。一対の傾斜部１６ａの傾斜方向は、ビス止め用端子部１６がハウジング４の端子支持部２８に支持された場合にその裏面側に傾斜する方向とされている。ビス止め用端子部１６の中央のフラット部分にはビス挿通孔１６ｂが形成されている。差し込み係止部１７の一部は、第１ヒューズ回路構成体２のものと同じく垂直方向に折曲され、この折曲部分が共通端子部１８として形成されている。第１ヒューズ回路構成体２の共通端子部１２と第２ヒューズ回路構成体３の共通端子部１８とは、ハウジング４に装着された状態にあってボルト１９と共に密着され、この双方の共通端子部１２、１８によってオルタネータ用端子が形成される。
【００２８】
ハウジング４は、図１〜図３に示すように、略直方体形状を有し、上方に開口部２５を有する回路体収容室２６が内部に形成されている。このハウジング４の上方には透明カバー３２が装着され、この透明カバー３２によって開口部２５が塞がれる。また、回路体収容室２６の下方には３つのコネクタハウジング部２７と４箇所に分配配置され、且つ、各箇所で３つが並列配置された端子支持部２８とが設けられている。
【００２９】
各コネクタハウジング部２７内は、第１および第２ヒューズ回路構成体２、３の各雌端子部７、１５を所定位置で支持するようになっている。
【００３０】
各端子支持部２８には、図６〜図８に詳しく示すように、ナット圧入溝４０と端子スライド溝４１とが連通して設けられ、ナット圧入溝４０にはナット部材２８が底面側より圧入されている。端子スライド溝４１には上面側よりビス止め用端子部８、１６がスライド挿入されている。各端子支持部２８は、ビス止め用端子部８、１６の裏面側のエッジ部分と側端側を規制し、その表面側を外部に露出せせた状態で支持している。各端子支持部２８にはビス止め用端子部８、１６の一対の傾斜部８ａ、１６ａの表面側に突出する一対の爪部４２が設けられている。
【００３１】
また、並設された３連の端子支持部２８にはショート防止カバー３８が装着可能に設けられ、３連の端子支持部２８はショート防止カバー３８によって被うことができるようになっている。
【００３２】
次に、上記ヒュージブルリンクユニット１の組み付けを簡単に説明する。第１ヒューズ回路構成体２および第２ヒューズ回路構成体３をそのフラット面方向を挿入方向とし、且つ、複数の雌端子部７、１５等を挿入先端としてハウジング４の開口部２５より回路体収容室２６に挿入する。第１ヒューズ回路構成体２および第２ヒューズ回路構成体３が互いに所定の間隔を開けて完全に挿入されると、図２に示すように、第１および第２ヒューズ回路構成体２、３の各連結プレート部５、１３が回路体収容室２６に配置されると共に、各端子部７、８、１５、１６がコネクタハウジング部２７内や端子支持部２８の所定位置にセットされる。
【００３３】
また、第１および第２ヒューズ回路構成体２、３の互いの共通端子部１２、１８は、ボルト１９と共に密着され、双方の共通端子部１２、１８によってオルタネータ用端子が形成される。共通端子部１２、１８を介して第１ヒューズ回路構成体２と第２ヒューズ回路構成体３が電気的に接続されることによって所定のヒューズ回路が構成される。
【００３４】
次に、バッテリ用端子部９にはバッテリ用ケーブルのビス止め端子３０が、オルタネータ用端子にはボルト１９とナット３４によってオルタネータ用ケーブルのビス止め端子３５が接続される。また、各コネクタハウジング部２７内の各雌端子部７、１５には相手側コネクタの各雄端子（図示せず）が、各端子支持部２８の各ビス止め用端子部８、１６にはナット部材２９とビス３６によってビス止め端子３０がそれぞれ接続される。相手側コネクタ（図示せず）の各雄端子（図示せず）および相手側の各ビス止め端子３０はケーブル３１を介して各負荷（図示せず）にそれぞれ接続される。
【００３５】
このように相手側の各ビス止め端子３０、３５を接続した後に、透明カバー３２やショート防止カバー３８をハウジング４に装着する。
【００３６】
上記構成において、各負荷にバッテリ（図示せず）やオルタネータ（図示せず）からの電源がヒュージブルリンクユニット１のヒューズ回路を介して分配供給される。また、バッテリ（図示せず）の電源が少なくなると、オルタネータ（図示せず）よりバッテリ（図示せず）に電源が供給されることによって充電が行われる。そして、負荷側の短絡事故などによっていずれかの可溶体部６、１０、１４に所定以上の電流が通電されると、可溶体部６、１０、１４が発熱によって溶断し、過電流に基づく事故が防止される。
【００３７】
ところで、全てのビス止め用端子部８、１６が常に使用されるわけではなく、車両毎、若しくは、車両のグレードにより使用されないビス止め用端子部８ａ、１６ａが存在する場合がある。組立工程や輸送時に、不使用のビス止め用端子部８、１６のエッジを何らかで引っ掛けた場合には、ビス止め用端子部８、１６が端子支持部２８より浮き上がるのを一対の爪部４２が阻止し、また、伝達される振動によりビス止め用端子部８、１６が振動するのを一対の爪部４２が阻止する。従って、コストアップや作業性の低下を伴うことなく、使用しないビス止め用端子部８、１６の浮き上がりや異音の発生を防止できる。
【００３８】
この実施形態では、各ビス止め用端子部８、１６の左右の両端側には、裏面側に傾斜する一対の傾斜部８ａ、１６ａが設けられ、この一対の傾斜部８ａ、１６ａを覆うように一対の爪部４２が突出されているので、ビス止め用端子部８、１６の表面より突出することなく一対の爪部４２を設けることができるため、相手側のビス止め用端子３０の接続作業等に支障が出ない。つまり、ビス止め用端子部８、１６の表面より一対の爪部４２が突設されている場合には、一対の爪部４２によってビス止め用端子部８、１６の表面が狭くなり、且つ、この一対の爪部４２の間の狭い面に相手側のビス止め端子３０を配置する必要があるため、接続作業が面倒になるが、本実施形態では従来例と同様の広さを確保できるため、接続作業に支障がでないものである。
【００３９】
尚、前記実施形態によれば、端子部はビス止め用端子部８、１６であるが、本発明は端子部の表面側が端子支持部２８より露出された状態で支持されるものに適用可能である。
【００４０】
尚、前記実施形態によれば、第１および第２ヒューズ回路構成体２、３の２枚でヒューズ回路を形成したが、本発明は、ヒューズ回路構成体を１枚のみで形成する場合にも、３枚以上で形成する場合にも同様に適用できることはもちろんである。
【００４１】
【発明の効果】
以上説明したように、請求項１の発明によれば、複数の端子部が連鎖状に形成されたヒューズ回路構成体とハウジングとを備え、このハウジングに設けられ、前記端子部の表面側を外部に露出させた状態で前記各端子部を支持する複数の端子支持部を設けたヒュージブルリンクユニットであって、ハウジングの各端子支持部には、各端子部の表面側への変移を規制する爪部を設けたので、使用しない端子部のエッジを何らかで引っ掛けても端子部の浮き上がりが爪部によって阻止され、端子部に振動が伝達されても端子部の振動が爪部によって阻止される。従って、コストアップや作業性の低下を伴うことなく、使用しない端子部の浮き上がりや異音の発生を防止できる。
【００４２】
請求項２の発明によれば、請求項１記載のヒュージブルリンクユニットであって、各端子部の左右の両端側は、裏面側に傾斜する傾斜部とされ、この一対の傾斜部を覆うように爪部が一対設けられているので、請求項１の発明の効果に加え、端子部の表面より突出することなく一対の爪部を設けることができるため、相手側の端子の接続作業等に支障が出ない。
【００４３】
請求項３の発明によれば、請求項１又は請求項２記載のヒュージブルリンクユニットであって、各端子部は、ナット部材とビスによって相手側の各ビス止め端子が接続されるビス止め用端子部であるので、請求項１又は請求項２の発明と同様の効果がビス止め用端子について得られる。
【図面の簡単な説明】
【図１】本発明の一実施形態を示し、ヒュージブルリンクユニットの斜視図である。
【図２】本発明の一実施形態を示し、図１のＡ−Ａ線断面図である。
【図３】本発明の一実施形態を示し、並設された端子支持部を示す底面図である。
【図４】本発明の一実施形態を示し、第１ヒューズ回路構成体の正面図である。
【図５】本発明の一実施形態を示し、第２ヒューズ回路構成体の正面図である。
【図６】本発明の一実施形態を示し、（ａ）は端子支持部の斜視図、（ｂ）は端子支持部の底面図である。
【図７】本発明の一実施形態を示し、図６（ａ）のＢ−Ｂ線で切断した分解図、（ｂ）は図６（ａ）のＢ−Ｂ線の断面図である。
【図８】本発明の一実施形態を示し、（ａ）は第１および第２ヒューズ回路構成体のビス止め用端子の底面図、（ｂ）はハウジングの端子支持部の底面図である。
【図９】従来例を示し、ヒュージブルリンクユニットの分解斜視図である。
【図１０】従来例を示し、ヒュージブルリンクユニットの斜視図である。
【図１１】従来例を示し、第１ヒューズ回路構成体の正面図である。
【図１２】従来例を示し、第２ヒューズ回路構成体の正面図である。
【図１３】従来例を示し、（ａ）は端子支持部の斜視図、（ｂ）は端子支持部の底面図である。
【符号の説明】
１　ヒュージブルリンクユニット
２　第１ヒューズ回路構成体（ヒューズ回路構成体）
３　第２ヒューズ回路構成体（ヒューズ回路構成体）
４　ハウジング
５、１３　連結プレート部
６、１０、１４　可溶体
８、１６　ビス止め用端子部（端子部）
８ａ、１６ａ　傾斜部
２８　端子支持部
２９　ナット部材
３０　相手側のビス止め端子
３６　ビス
４２　爪部
【図１】
2004127703.tif 000003
【図２】
2004127703.tif 000004
【図３】
2004127703.tif 000005
【図４】
2004127703.tif 000006
【図５】
2004127703.tif 000007
【図６】
2004127703.tif 000008
【図７】
2004127703.tif 000009
【図８】
2004127703.tif 000010
【図９】
2004127703.tif 000011
【図１０】
2004127703.tif 000012
【図１１】
2004127703.tif 000013
【図１２】
2004127703.tif 000014
【図１３】
2004127703.tif 000015